(57)【要約】      （修正有）【課題】蛍光灯器具からの蛍光灯型ＬＥＤ照明具の落下を防止する落下防止治具を提供する。【解決手段】落下防止治具２８は、パネル１８に装着する装着部３０と、蛍光灯型ＬＥＤ照明具２４を支持する支持部３２と、装着部３０と支持部との間を結ぶ連結部３４で構成されている。蛍光灯器具１０に落下防止治具２８を装着すると、蛍光灯型ＬＥＤ照明具２４の重量による荷重はソケット２２とパネル１８で支持することになるので、ソケット２２の荷重負担が軽減する。【選択図】図１
0003155018.tif 000002
【実用新案登録請求の範囲】
【請求項１】
蛍光灯器具の一対のソケットの間に取り付けられた蛍光灯型ＬＥＤ照明具を支持する支持部と、前記支持部と前記蛍光灯器具の本体部の間を結ぶ連結部を備えたことを特徴とする蛍光灯型ＬＥＤ照明具の落下防止構造。
【請求項２】
蛍光灯器具の一対のソケットの間に取り付けられた蛍光灯型ＬＥＤ照明具を支持する支持部と、前記支持部と前記蛍光灯器具の本体部の間を結ぶ連結部を備え、前記蛍光灯型ＬＥＤ照明具の重量による荷重の全部または一部を前記蛍光灯器具の本体部で支持するようにした蛍光灯型ＬＥＤ照明具の落下防止構造。
【請求項３】
蛍光灯器具の一対のソケットの間に取り付けられた蛍光灯型ＬＥＤ照明具を支持する支持部と、前記蛍光灯器具の本体部に対して着脱可能な装着部と、前記支持部と前記装着部の間を結ぶ連結部を備えたことを特徴とする蛍光灯型ＬＥＤ照明具の落下防止治具。
【請求項４】
蛍光灯器具のソケットに装着する部位と、前記ソケットに取り付けられた蛍光灯型ＬＥＤ照明具の下方に位置する部位を備えたことを特徴とする蛍光灯型ＬＥＤ照明具の落下防止治具。
【考案の詳細な説明】
【技術分野】
【０００１】
本考案は、蛍光灯型ＬＥＤ照明具の自重による落下を防止するための構造、およびその構造に用いられる落下防止治具に関する。
【背景技術】
【０００２】
従来、白熱灯に比べて低消費電力で長寿命の蛍光灯は屋内照明などに多用されているが、近年、新たな発光手段として注目されているＬＥＤ（Light Emitting Diode）は、さらに低消費電力で長寿命であり、蛍光灯に代わる屋内照明として普及が期待されている。このような背景のもと、既設の蛍光灯器具に改造を加えることなくそのまま取り付けることができる蛍光灯型ＬＥＤ照明具が実用化されている（特許文献１および２参照）
【先行技術文献】
【特許文献】
【０００３】
【特許文献１】特開２００８−２７７１８８号公報
【特許文献２】特開２００８−２８２７９３号公報
【考案の概要】
【考案が解決しようとする課題】
【０００４】
蛍光灯型ＬＥＤ照明具は、例えば４０Ｗ型であれば数百個のＬＥＤ素子が必要であるため、従来の蛍光灯に比べ２倍程度の重量となっている。しかし、既設の蛍光灯器具は、特にソケット部分の耐荷重性において従来の蛍光灯の重量を基準として設計されているため、その2倍程度の重量の蛍光灯型ＬＥＤ照明具を取り付けた場合にはソケット部分の耐久性に問題がある。従来の蛍光灯のように交換スパンが１〜２年程度と比較的短い場合であれば、交換作業時にソケットやソケットに内蔵された端子やスプリングなどの不具合を早期に発見し、程度に応じて修理したり交換したりするなどの適切な対策をとることが可能であった。これに対し、長寿命の蛍光灯型ＬＥＤ照明具では交換スパンが非常に長くなるので、ソケット部分の不具合に気付かないまま何年も放置することにもなりかねない。適切な処置を怠れば、最悪の場合、蛍光灯型ＬＥＤ照明具がソケットから脱落し、落下するなどの重大な事故につながる可能性もある。
【課題を解決するための手段】
【０００５】
このような課題を解決するため、本考案は、蛍光灯器具の一対のソケットの間に取り付けられた蛍光灯型ＬＥＤ照明具を支持する支持部と、前記支持部と前記蛍光灯器具の本体部の間を結ぶ連結部を備えたことを特徴とする蛍光灯型ＬＥＤ照明具の落下防止構造を提供する。
【０００６】
この落下防止構造によれば、蛍光灯型ＬＥＤ照明具は蛍光灯器具の本体部と連結されるので、ソケットから脱落しても落下することはない。蛍光灯型ＬＥＤ照明具の重量による荷重の全部または一部を蛍光灯器具の本体部で支持するようにすれば、ソケットにかかる荷重が軽減されるので、過大荷重によるソケットの劣化を防止することができる。なお、蛍光灯器具の本体部とは、家屋の天井面などに直接固定されている部分、もしくは直接固定された部分に固定されている部分のことであり、ソケットに内蔵されている端子やスプリング以外の部分を広く含む概念である。
【０００７】
また、本考案は、蛍光灯器具の一対のソケットの間に取り付けられた蛍光灯型ＬＥＤ照明具を支持する支持部と、前記蛍光灯器具の本体部に対して着脱可能な装着部と、前記支持部と前記装着部の間を結ぶ連結部を備えたことを特徴とする蛍光灯型ＬＥＤ照明具の落下防止治具を提供する。
【０００８】
この落下防止治具によれば、蛍光灯型ＬＥＤ照明具は蛍光灯器具の本体部と連結されるので、ソケットから脱落しても落下することはない。蛍光灯型ＬＥＤ照明具の重量による荷重の全部または一部を蛍光灯器具の本体部で支持するようにすれば、ソケット部分にかかる荷重が軽減されるので、過大荷重によるソケット部分の劣化を防止することができる。
【０００９】
さらに、本考案は、蛍光灯器具のソケットに装着する部位と、前記ソケットに取り付けられた蛍光灯型ＬＥＤ照明具の下方に位置する部位を備えたことを特徴とする蛍光灯型ＬＥＤ照明具の落下防止治具を提供する。
【００１０】
この落下防止治具によれば、ソケットから脱落した蛍光灯型ＬＥＤ照明具を落下しないように受け止めることができる。
【考案の効果】
【００１１】
本考案の落下防止構造によれば、蛍光灯型ＬＥＤ照明具を取り付けたときの荷重がソケットに集中することがないので、過大荷重によるソケットの劣化を防止することができ、さらにはソケットからの脱落を未然に防止することができる。また、本考案の落下防止治具によれば、既存の蛍光灯器具に容易に落下防止対策を施すことができる。
【図面の簡単な説明】
【００１２】
【図１】本考案の第１の実施形態の落下防止構造を示す図
【図２】落下防止治具を示す斜視図
【図３】連結部の一例を示す斜視図
【図４】連結部の一例を示す斜視図
【図５】本考案の第２の実施形態の落下防止構造を示す図
【図６】本考案の第３の実施形態の落下防止構造を示す側面図
【図７】本考案の第３の実施形態の落下防止構造を示す平面図
【図８】スライド式落下防止治具の断面図
【図９】固定式落下防止治具の断面図
【図１０】スライド式落下防止治具の斜視図
【図１１】固定式落下防止治具の斜視図
【考案を実施するための形態】
【００１３】
図１を参照して本考案の第１の実施形態を示す。蛍光灯器具１０の基部１２はねじ１４で天井面１６に固定されている。基部１２には逆富士型のパネル１８がねじ２０で固定されている。パネル１８の内側には図示しない電線や安定器などが配備されている。ソケット２２は基部１２に固定されている。ソケット２２には蛍光灯型ＬＥＤ照明具２４の口金ピンを差し込むための端子２６が設けられており、端子２６はパネル１８の外側に露出している。蛍光灯器具１０には蛍光灯型ＬＥＤ照明具２４の落下防止のための治具２８が装着されている。
【００１４】
図２に落下防止治具の構造を示す。落下防止治具２８は、パネル１８に装着する装着部３０と、蛍光灯型ＬＥＤ照明具２４を支持する支持部３２と、装着部３０と支持部３２との間を結ぶ連結部３４で構成されている。装着部３０は、帯状の金属板をパネル１８の逆富士型に倣った形状に折り曲げ加工し、両端に爪３６を形成したものである。支持部３２は、同じく帯状の金属板を円弧状に曲げ加工したものである。支持部３２の円弧角は１８０度より大きく、蛍光灯型ＬＥＤ照明具２４を掴んで支持するようになっている。連結部３４も同じく帯状の金属板であり、両端部がそれぞれ装着部３０と支持部３２に溶接されている。
【００１５】
図１に示すように、落下防止治具２８はパネル１８と天井面１６の間に爪３６を引っ掛けるだけで装着することができるので、既存の蛍光灯器具１０にも簡単に装着することができる。落下防止治具２８を用いると、蛍光灯型ＬＥＤ照明具２４の重量による荷重はソケット２２とパネル１８で支持することになるので、ソケット２２の荷重負担が軽減する。
【００１６】
連結部３４は支持部３２のどの箇所にでも溶接してよいが、図３に示すように支持部３２のほぼ中央に溶接すれば連結部３４は短くてもよいので、材料費の削減効果が期待できる。これに対し、図４に示すように支持部３２の端部に溶接すれば、連結部３４は長くなるが、長くなった分だけ柔らかい板ばねとして機能するようになるので、蛍光灯型ＬＥＤ照明具２４の取り付け位置が多少ずれている場合であっても連結部３４が弾性変形することによって蛍光灯型ＬＥＤ照明具２４の位置まで支持部３２が変位する。
【００１７】
落下防止治具２８は、金属の高い熱伝導性よってＬＥＤが発する熱を奪う効果があり、蛍光灯型ＬＥＤ照明具２４の寿命をさらに延ばすことができる。このような効果を特に期待しないのであれば、落下防止治具２８は金属以外の素材、例えば耐熱性樹脂などで構成してもよい。
【００１８】
落下防止治具２８を１つしか使用しない場合であれば、一対のソケット２２のほぼ中央付近に配置し、蛍光灯型ＬＥＤ照明具２４の重心で荷重を支持するようにするのが効果的である。２つ以上使用する場合には２つのソケット２２の間を等間隔に区画する位置に配置すればよい。
【００１９】
図５を参照して本考案の第２の実施形態を示す。第２の実施形態は第１の実施形態に対して、装着部３０が存在せず、連結部４０がパネル１８に直に装着されている点に特徴がある。連結部４０の一端には支持部４２が溶接されている。連結部４０は、他端の折り曲げられた部分に設けられた孔とパネル１８に設けられた孔に通されたボルト４４と、パネル１８の内側から締められたナット４６でパネル１８に固定されている。連結部４０を樹脂で構成した場合には接着剤などでパネル１８に固定することもできる。
【００２０】
図６乃至図１１を参照して本考案の第３の実施形態を示す。スライド式落下防止治具５０は、環状の支持部５２と、支持部５２と連続する装着部５４で構成されている。スライド式落下防止治具５０は、左右一対の装着部５４でソケット２２を左右から挟み込むようにしてソケット２２に装着されている。支持部５２は、ソケット２２に近い蛍光灯型ＬＥＤ照明具２４の端部の外周を取り囲んでいる。蛍光灯型ＬＥＤ照明具２４がソケット２２から脱落しても支持部５２で受け止められる。スライド式落下防止治具５０は、蛍光灯型ＬＥＤ照明具２４に装着した支持部５２をソケット２２に向けてスライドさせ、装着部５４をソケット２２に引っ掛けるだけで簡単に装着することができる。
【００２１】
固定式落下防止治具６０は、ソケット２２に装着する部位である装着部６２と、ソケット２２に取り付けられた蛍光灯型ＬＥＤ照明具２４の下方に位置する部位である支持部６４を備え、ソケット２２の下部の曲面形状に適合するＵ字型の曲面を有している。蛍光灯型ＬＥＤ照明具２４がソケット２２から脱落しても支持部６４で受け止められる。固定式落下防止治具６０は接着剤や接着テープなどを用いて簡単に装着することができる。
【００２２】
スライド式落下防止治具５０の支持部５２が蛍光灯型ＬＥＤ照明具２４の下部に接触していれば、接触していなければ端子２６だけで支持することになる蛍光灯型ＬＥＤ照明具２４の重量による荷重の一部または全部をソケット２２全体で支持することになるので、過大荷重による端子２６の劣化を防止することができる。固定式落下防止治具６０についても同様である。
【００２３】
スライド式落下防止治具５０は一対のソケット２２の両方に装着してもよいし、何れか一方だけに装着し、他方には固定式落下防止治具６０を装着するようにしてもよい。固定式落下防止治具６０についても同様である。
【００２４】
蛍光灯器具１０の構造は、学校の教室や官公庁施設などで多く採用されている形式のものを例にとって示しているが、本考案の落下防止構造および落下防止治具を適用する蛍光灯器具としては、ソケット２２や端子２６の構造も含め、例示した蛍光灯器具１０の構造のものに限定されない。
【符号の説明】
【００２５】
１０  蛍光灯器具
２２  ソケット
２８  落下防止治具
３０、５４、６２  装着部
３２、５２、６４  支持部
３４  連結部
５０  スライド式落下防止治具
６０  固定式落下防止治具
【図１】
0003155018.tif 000003
【図２】
0003155018.tif 000004
【図３】
0003155018.tif 000005
【図４】
0003155018.tif 000006
【図５】
0003155018.tif 000007
【図６】
0003155018.tif 000008
【図７】
0003155018.tif 000009
【図８】
0003155018.tif 000010
【図９】
0003155018.tif 000011
【図１０】
0003155018.tif 000012
【図１１】
0003155018.tif 000013
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
蛍光灯器具の一対のソケットの間に取り付けられた蛍光灯型ＬＥＤ照明具を支持する支持部と、前記支持部と前記蛍光灯器具の本体部の間を結ぶ連結部を備えたことを特徴とする蛍光灯型ＬＥＤ照明具の落下防止構造。
【請求項２】
蛍光灯器具の一対のソケットの間に取り付けられた蛍光灯型ＬＥＤ照明具を支持する支持部と、前記支持部と前記蛍光灯器具の本体部の間を結ぶ連結部を備え、前記蛍光灯型ＬＥＤ照明具の重量による荷重の全部または一部を前記蛍光灯器具の本体部で支持するようにした蛍光灯型ＬＥＤ照明具の落下防止構造。
【請求項３】
蛍光灯器具の一対のソケットの間に取り付けられた蛍光灯型ＬＥＤ照明具を支持する支持部と、前記蛍光灯器具の本体部に対して着脱可能な装着部と、前記支持部と前記装着部の間を結ぶ連結部を備えたことを特徴とする蛍光灯型ＬＥＤ照明具の落下防止治具。